(57)【要約】【課題】表示領域と入力領域が変動することなく、入力キーに任意の様々な機能を持たすことができ、高齢者などの情報通信機器の操作に慣れていないユーザが、入力操作と操作結果を容易に予測可能な入力表示装置を提供する。【解決手段】入力表示装置（１００）は、データを表示する表示部（１）と、該表示部（１）に搭載されてユーザの入力位置を検出する入力部（２）とを有するタッチパネル（３）とを備える。前記表示部（１）を、データを表示させるデータ表示領域（１０）と、入力キーを表示する入力キー表示領域（２０）とに区分けし、前記入力キー表示領域（２０）には、操作情報を表示する入力キー（２１，２３）と、入力条件に応じて前記操作情報を切り替える切替キー（２２）とを表示する。【選択図】図１
2014204266.tif 000002
【特許請求の範囲】
【請求項１】
データを表示する表示部と、該表示部に搭載されてユーザの入力位置を検出する入力部とを有するタッチパネルを備える入力表示装置において、
前記表示部を、データを表示させるデータ表示領域と、入力キーを表示する入力キー表示領域とに区分けし、前記入力キー表示領域には、操作情報を表示する入力キーと、入力条件に応じて前記操作情報を切り替える切替キーとを表示することを特徴とする入力表示装置。
【請求項２】
前記入力キーに表示する操作情報は、文字、数値、画像であることを特徴とする請求項１に記載の入力表示装置。
【請求項３】
前記入力キーに表示する操作情報は、表示を操作する操作指示であることを特徴とする請求項１または２に記載の入力表示装置。
【請求項４】
前記入力キーへのタッチに伴い、音声を発することを特徴とする請求項１〜３のいずれか１項に記載の入力表示装置。
【請求項５】
前記表示領域に表示する情報は、健康度測定結果であることを特徴とする請求項１〜４のいずれか１項に記載の入力表示装置。
【請求項６】
前記表示領域に表示する情報は、カレンダーであることを特徴とする請求項１〜５のいずれか１項に記載の入力表示装置。
【発明の詳細な説明】
【技術分野】
【０００１】
本発明は、高齢者など情報通信機器の操作に慣れていないユーザが、情報を入力表示するための入力表示装置に関する。
【背景技術】
【０００２】
高齢者など情報通信機器の操作に慣れていないユーザにとって、入力機能を備えた表示装置であるタッチパネルディスプレイは、操作が比較的容易である。しかしながら、操作のためにタッチをする部分と操作に無関係な部分の判別をすることや、タッチすることによる操作結果を推測することが困難な場合もある。また、入力時のみキーボードなどの入力パネルが表示されるため、表示領域が減少し、画面遷移の把握も難しい。したがって、タッチする部分のデザインの統一化、タッチする部分の中に説明記載、表示領域を損なわない入力パネルの常時表示などのユーザーインタフェースが望まれている。
【０００３】
特許文献１に記載の入力表示装置は、タッチパネルディスプレイとハードキーのテンキーボタンを分け、データの表示部分とテンキーの入力部分を分割することを提案している。また、モードを選択することによって、テンキーの機能割り当てが変わり、数字キーと上下左右キーおよび決定キーとを切り替えることができる。
【先行技術文献】
【特許文献】
【０００４】
【特許文献１】特開２００７−２３３９３１号公報
【発明の概要】
【発明が解決しようとする課題】
【０００５】
しかしながら、情報通信機器の操作に慣れていないユーザにとって、選択モードの切り替えを推測することは難しい。また、テンキーボタンがハードキーのため、キー上の表示を切り替えることができず、操作内容を予測することが難しい。
【０００６】
本発明は、斯かる事情に鑑みてなされたものであり、その目的は、表示領域と入力領域が変動することなく、入力キーに任意の様々な機能を持たすことができ、高齢者などの情報通信機器の操作に慣れていないユーザが、入力操作と操作結果を容易に予測可能な入力表示装置を提供することにある。
【課題を解決するための手段】
【０００７】
上記課題を解決するため、本発明の第１の技術手段は、データを表示する表示部と、該表示部に搭載されてユーザの入力位置を検出する入力部とを有するタッチパネルを備える入力表示装置において、
前記表示部を、データを表示させるデータ表示領域と、入力キーを表示する入力キー表示領域とに区分けし、前記入力キー表示領域には、操作情報を表示する入力キーと、入力条件に応じて前記操作情報を切り替える切替キーとを表示することを特徴としたものである。
【０００８】
本発明の第２の技術手段は、前記入力キーに表示する操作情報は、文字、数値、画像であることを特徴としたものである。
【０００９】
本発明の第３の技術手段は、前記入力キーに表示する操作情報は、表示を操作する操作指示であることを特徴としたものである。
【００１０】
本発明の第４の技術手段は、前記入力キーへのタッチに伴い、音声を発することを特徴としたものである。
【００１１】
本発明の第５の技術手段は、前記表示領域に表示する情報は、健康度測定結果であることを特徴としたものである。
【００１２】
本発明の第６の技術手段は、前記表示領域に表示する情報は、カレンダーであることを特徴としたものである。
【発明の効果】
【００１３】
本発明によれば、データ表示領域と入力キー表示領域が変動することなく、テンキーに任意の様々な機能を持たすことができ、高齢者などの情報通信機器の操作に慣れていないユーザが、入力操作と操作結果を容易に予測できる効果がある。
【図面の簡単な説明】
【００１４】
【図１】本発明に係る入力表示装置の一構成例を示す模式図である。
【図２】本発明に係る入力表示装置の一構成を示すブロック図である。
【図３】本発明に係る入力表示装置の動作処理を示すフローチャートである。
【図４】本発明に係る入力表示装置の一画面構成例を示す図である。
【図５】本発明に係る入力表示装置の他の画面構成例を示す図である。
【発明を実施するための形態】
【００１５】
以下、本発明の実施の形態を添付図面を参照して説明する。
【００１６】
図１は、本発明に係る入力表示装置の一構成例を示す模式図である。図１で例示する入力表示装置１００は、タブレット端末であり、情報を表示させる表示部１の上に、タッチパッドである入力部２を搭載したタッチパネル３を前面に配置した構成である。表示部１は液晶や有機ＥＬなどの表示パネルであり、入力部２のタッチパッドは、例えば静電容量方式や抵抗膜方式など様々のものがあり、ユーザがタッチした位置を検出する。
【００１７】
タッチパネル３は、ユーザが表示部１に表示された要素を指やペンでタッチした場合に、そのタッチした位置を入力部２で検出して、どの表示要素が指定されたかを特定することができる。例えば、表示部１にフルキーボードやテンキー、あるいは操作キーなどを表示させて、ユーザがそれぞれのキー部分をタッチすることにより操作入力を可能とする。
【００１８】
このように、様々の入力操作形態を表示させて入力させることができて入力操作の自由度が上がるが、反面、高齢者などの情報通信機器の操作に慣れていないユーザが使用する場合に、入力操作に戸惑うことにもなる。そこで、本発明では、入力操作表示をできるだけ特定の位置に表示にして、このようなユーザが操作に戸惑わないようにする。
【００１９】
まず、表示部１を、図１に示すように、データ表示領域１０と、入力キー表示領域２０に分ける。そして常に各表示領域１０，２０をこの位置に固定表示する。データ表示領域１０には、映像情報を表示させ、入力キー表示領域２０には、テンキー２１と操作キー２２，２３を表示させる。特に、操作キーとして、テンキー２１の入力条件に応じて、キー上の表示を切り替える切替キー２２を有している。
【００２０】
テンキー２１のキーの数は、特に限定されるものではないが、例えば４行×３列の１２個や、５行×４列の２０個などである。複数個の領域に１個のキーを備えてもよい。例えば、横に並列した２個のキーの領域を１個のキーとしてもよい。または、縦に並列した２個のキーの領域を１個のキーとしてもよい。
【００２１】
テンキー２１のキーの形状は、特に限定されるものではないが、正方形、長方形、面取りをした正方形、面取りをした長方形、円形、楕円形などである。３Ｄのように上下に奥行きを付けてもよい。
【００２２】
テンキー２１のキーの色は、特に限定されるものではないが、高齢者が認識し易い高明度高彩度の色が好ましい。
【００２３】
テンキー２１のキーの大きさは、特に限定されるものではないが、ミスタッチを防ぐため、大人の指の腹よりも大きいことが好ましい。
【００２４】
切替キー２２は、テンキー２１の入力条件を切り替える。
例えば、数字を入力する場合においては、テンキーが０〜９の数字と小数点、取り消しの操作指示の機能を持ち、キー上には「０〜９」の数字、小数点「．」、「取消」という文字が表示される（図４参照）。
また、例えば、天気や体調を入力する場合は、晴れ、雨、曇りなどの画像マーク、体調を示す顔の画像マークがキー上に表示される。
【００２５】
図１において切替キー２２は、テンキーとは別に表示されるキーであるが、テンキーのうちに含まれていてもよい。
【００２６】
上記のように、テンキー２１上には、切替キー２２の選択によって、入力条件に応じた文字や数字や画像などや、取消などのように操作指示といった操作情報が表示される。
【００２７】
テンキー２１は、タッチに伴い音声を発することが好ましい。タッチパネル３は平面のため、キーを押したことを瞬時に確認するためである。押したキー上に表示された文字を音声として出力する。また、押したことを確認できる効果音でもよい。
【００２８】
図２は、この入力表示装置であるタブレット端末の一構成を示すブロック図である。
この入力表示装置１００であるタブレット端末は、主制御部３０、表示部１と入力部２からなるタッチパネル３、表示制御部３１、入力制御部３２、記憶部４０を備える。記憶部４０は、プログラム４１と、データ４２を記憶する。
【００２９】
主制御部３０は、例えば、ＣＰＵであり、記憶部４０からプログラム４１を読み出して、当該プログラムに従って処理を実行する。
【００３０】
タッチパネル３は、図１で説明した構成である。表示制御部３１は、記憶部４０に記憶されているデータ４２に基づいて、表示部１の表示を制御する。入力制御部３２は、入力部２の入力検出信号からその位置座標を特定して主制御部３０に出力する。
【００３１】
記憶部４０は、例えば、ハードディスクやメモリ等の大容量記憶装置である。記憶部４０は、主制御部３０に処理を行わせるプログラム４１やデータ４２を記憶する。データ４２は、音声データ、画像データ又はテキストデータ又はそれらの組み合わせであり、フォーマットは問わない。
【００３２】
図３は、入力容易モードでのタブレット端末の動作処理を示すフローチャートである。
まず、ユーザは、表示モードを選択する画面を表示させ、操作に慣れていないユーザ用の「入力容易モード」を選択する（ステップＳ１１）。主制御部３０は、表示制御部３１に、データ表示領域１０と入力キー表示領域２０を区分けして表示させる（ステップＳ１２）。表示制御部３１は、記憶部４０のデータ４２より、表示映像の情報とそれに関連する入力部２の表示情報を読み込み、表示映像情報はデータ表示領域１０に、入力キーに関する表示画像は入力キー表示領域２０に、それぞれ表示する。
【００３３】
図４は、本発明に係る入力表示装置の一画面構成例を示す図である。
表示部１のデータ表示領域１０に表示されるコンテンツは、特に限定されるものではないが、例えば健康度測定結果の入力画面などである。健康度測定結果とは、体重、ＢＭＩ、脂肪量、筋肉量、推定骨量、体脂肪率、除脂肪量、基礎代謝量、脚点、体内年齢、内脂肪レベル、最高血圧、最低血圧、脈拍、血糖値、体水分量、腹囲、体温などの項目を数値記入する。この場合は、入力キー表示領域２０のテンキー２１から、数値を入力することになる。テンキー２１は、「０〜９」の数字、小数点「．」、「取消」という文字が表示される。切替キー２２には「日にちを選択する」と表示されており、ここにタッチをすると、データ表示領域１０の表示とテンキー２１の表示は、図５の表示に変わる。また、操作キー２３として、ホームへ戻るアイコン、「詳細記録へ」、「結果閲覧へ」とが表示されている。
【００３４】
主制御部３０は、入力制御部３２からの入力信号から、ユーザがキー入力があったかを確認し（ステップＳ１３）、キー入力があれば、主制御部３０はプログラムに従って、その入力に応じた処理を実行する（ステップＳ１４）。
【００３５】
主制御部３０は、電源を切る、あるいは入力容易モードを切り替えることにより、入力容易モードが終了したかを確認する（ステップＳ１５）。入力容易モードが維持されている場合は、ステップＳ１６に進み、入力容易モードが終了していれば、この処理を終了する。
【００３６】
ステップＳ１６において、主制御部３０は、入力制御部３２の情報から切替キー２２が入力されたかを確認する。切替キー２２の入力があれば、その切替キー２２の指示に応じた表示に切り替えて（ステップＳ１７）、ステップＳ１３に戻る。
【００３７】
切替キー２２により切り替わる表示の例を図５に示す。図４の切替キー２２には「日にちを選択する」と表示されており、ここにタッチをすることにより、データ表示領域１０の表示と入力キー表示領域２０の表示が、図５の表示に変わる。
【００３８】
データ表示領域１０には、カレンダーが表示される。カレンダーには、健康度測定結果を記入した日には、丸が表示される。日を選択すると、健康度測定結果が表示される。この場合は、テンキー２１は１月〜１２月が表示され、閲覧したい月がワンタッチで選択できる。切替キー２２には、「カレンダーを閉じる」と表示されており、ここにタッチをすると、データ表示領域１０の表示とテンキー２１の表示は、図４の表示に戻る。
【００３９】
なお、図４、図５の表示は一例に過ぎずこれに限定されるわけではない。
【００４０】
このように、データ表示領域と入力キー表示領域が変動することなく、常に表示場所が特定されており、また、テンキーに任意の様々な機能を持たせながらも、その何の入力であるかを示す入力操作情報を表示でき、高齢者などの情報通信機器の操作に慣れていないユーザが、入力操作と操作結果を容易に予測できる効果がある。
【００４１】
以上、この発明の実施形態を図面を参照して詳述してきたが、具体的な構成はこれらの実施形態に限られるものではなく、この発明の要旨を逸脱しない範囲の設計変更等された発明も含まれる。
【符号の説明】
【００４２】
１  表示部
２  入力部
３  タッチパネル
１０  データ表示領域
２０  入力キー表示領域
２１  テンキー
２２  操作キー（切替キー）
２３  操作キー
３０  主制御部
３１  表示制御部
３２  入力制御部
４０  記憶部
４１  プログラム
４２  データ
１００  入力表示装置
【図１】
2014204266.tif 000003
【図２】
2014204266.tif 000004
【図３】
2014204266.tif 000005
【図４】
2014204266.tif 000006
【図５】
2014204266.tif 000007